(57)【特許請求の範囲】
【請求項１】
画像データやテキストデータの表示制御情報を有するＭＩＤＩデータに基づいて楽音の合成処理を行うことにより音楽再生を行い、再生された音楽に対して音楽圧縮処理を施して得られた圧縮オーディオデータと、前記ＭＩＤＩデータと、前記画像データと、前記テキストデータを記録媒体に記録する記録方法であって、前記ＭＩＤＩデータは前記圧縮オーディオデータの再生タイミングを指示する制御情報を含むことを特徴とするデータ記録方法。
【請求項２】
画像データやテキストデータの表示制御情報を有するＭＩＤＩデータを入力する１次媒体と、２次媒体と、前記１次媒体からのデータ受信もしくは読み出しを制御する入力制御部と、前記入力制御部が受信もしくは読み出したＭＩＤＩデータに基づいて楽音の合成処理を行う音源部と、前記音源部が出力したオーディオデータの圧縮処理を行い圧縮オーディオデータとして出力する圧縮処理部と、前記圧縮オーディオデータと前記入力制御部が受信もしくは読み出したＭＩＤＩデータと画像データとテキストデータを前記２次媒体に送信もしくは書き込む出力制御部とを備え、前記２次媒体に送信もしくは書き込まれたＭＩＤＩデータは前記圧縮オーディオデータの再生タイミングを指示する制御情報を含むことを特徴とするデータ記録装置。
【発明の詳細な説明】
【０００１】
【発明の属する技術分野】
本発明は、データ記録方法及びデータ記録装置、特に、通信カラオケ（音源を有するカラオケ装置）に使用されているカラオケ情報、即ちＭＩＤＩ（Ｍｕｓｉｃａｌ  Ｉｎｓｔｒｕｍｅｎｔ  Ｄｉｓｉｔａｌ  Ｉｎｔｅｒｆａｃｅ）データとＭＩＤＩデータによって表示制御されるテキストデータ（歌詞）と画像データ（背景画）とからなるコンテンツのデータ記録に好適であり、これをカラオケ装置や電子楽器に展開するに適したデータ記録方法及びデータ記録装置に関するものである。
【０００２】
【従来の技術】
以下、一般的なデータ記録方法及び記録装置並びに記録媒体を用いた従来のカラオケ情報のデータ構造、カラオケ装置及び電子楽器について図面を参照しながら説明する。
【０００３】
図６は従来のカラオケ装置の概略構成とカラオケ情報のデータ構造を示すブロック図である。図６において、６０１は１次媒体、６０２はＭＩＤＩデータ領域、６０３はテキストデータ領域、６０４は画像データ領域、６０５は再生装置、６０６は１次媒体から各種データを受信あるいは読み出し制御を行う制御部、６０７はＭＩＤＩデータに基づき楽音の合成処理を行う音源部、６０８はアンプやスピーカなどから構成される音楽再生部、６０９はＬＣＤやＣＲＴなどの表示部、６１０は入力部である。
【０００４】
以上のように構成された従来のカラオケ装置とカラオケ情報のデータ構造の内、まず、カラオケ情報のデータ構造について説明する。図６において、１次媒体６０１上にあるＭＩＤＩデータ（カラオケ楽曲）、テキストデータ（歌詞）、画像データ（背景画）がカラオケ情報の構成要素である。一般的に、ＭＩＤＩデータはいわゆる演奏データ（音源部６０７の合成処理のもととなるデータ）と、テキストデータと、画像データを音楽に同期して表示させるための制御データ（イベントデータ）とから構成される。即ち、ＭＩＤＩデータとテキストデータと画像データは同期して再生、表示されるデータ構造になっている。
【０００５】
次に、カラオケ装置について説明する。インターネットなどの回線を通じて送られてきたカラオケコンテンツ、あるいは記録メディアによって供給されるカラオケコンテンツを１次媒体６０１とする。入力部６１０が指定したテンポやピッチに従い、制御部６０６が１次媒体６０１からＭＩＤＩデータ、テキストデータ、画像データを読み込む。ＭＩＤＩデータは音源部６０７に転送されオーディオデータに変換され（合成処理がなされ）、音楽再生部６０８に転送されて音楽が再生される。一方テキストデータや画像データは表示部６０９に転送され表示される。この時ＭＩＤＩデータにはテキスト（歌詞）や画像（背景画）を音楽と同期して再生されるような同期情報が含まれている。
【０００６】
この構成は電子楽器にもあてはまり、この場合は入力部６１０が鍵盤や電子楽器パネル上に配設されたスイッチ群に対応し、また、表示部６０９は電子楽器パネル上に取り付けられたＬＣＤに対応する。電子楽器の場合、通常１次媒体６０１としてフロッピーディスクなどが多く用いられており、記憶容量の制約上、ＭＩＤＩデータのみ、あるいはＭＩＤＩデータとテキストデータのみを読み込み再生するようになっている。
【０００７】
【発明が解決しようとする課題】
しかしながら、このような構成では、必ず音源部を有する装置が必要となり、カラオケボックスに設置しているシンセサイザカラオケ装置やソフトウェア音源などのアプリケーションソフトが組み込まれたパソコン、あるいは電子楽器がなければ再生できないという問題点があった。
【０００８】
本発明は、上記従来の問題点を解決するものであり、音源を有していない例えばオーディオ機器を用いてカラオケを楽しむことができる新しいデータ構造に基づくデータ記録方法及びデータ記録装置を提供することを目的とする。
【０００９】
【課題を解決するための手段】
本発明のデータ記録方法は、画像データやテキストデータの表示制御情報を有するＭＩＤＩデータに基づいて楽音の合成処理を行うことにより音楽再生を行い、再生された音楽に対して音楽圧縮処理を施して得られた圧縮オーディオデータと、前記ＭＩＤＩデータと、前記画像データと、前記テキストデータを記録媒体に記録する記録方法であって、前記ＭＩＤＩデータは前記圧縮オーディオデータの再生タイミングを指示する制御情報を含むようにしたものであり、また、本発明のデータ記録装置は、画像データやテキストデータの表示制御情報を有するＭＩＤＩデータを入力する１次媒体と、２次媒体と、前記１次媒体からのデータ受信もしくは読み出しを制御する入力制御部と、前記入力制御部が受信もしくは読み出したＭＩＤＩデータに基づいて楽音の合成処理を行う音源部と、前記音源部が出力したオーディオデータの圧縮処理を行い圧縮オーディオデータとして出力する圧縮処理部と、前記圧縮オーディオデータと前記入力制御部が受信もしくは読み出したＭＩＤＩデータと画像データとテキストデータを前記２次媒体に送信もしくは書き込む出力制御部とを備え、前記２次媒体に送信もしくは書き込まれたＭＩＤＩデータは前記圧縮オーディオデータの再生タイミングを指示する制御情報を含むものである。
【００１０】
この発明によれば、音源を有していない例えばオーディオ機器を用いて、ＭＩＤＩデータとＭＩＤＩデータによって表示制御されるテキストデータ、画像データに基づくカラオケを楽しむことができる。
【００１１】
【発明の実施の形態】
以下、本発明の各実施の形態について図面を参照しながら説明する。なお、前記従来のものと同一の部分及び各実施の形態間で共通の部分については同一符号を用いるものとする。
【００１２】
以下、本発明の各実施の形態について図面を参照しながら説明する。
【００１３】
（実施の形態１）
図１は本発明のデータ記録方法及び記録装置並びに記録媒体の実施の形態１におけるデータ記録装置の構成を示すブロック図、図２は図１に示す２次媒体とオーディオ機器を用いたカラオケ装置の概略構成とカラオケ情報のデータ構造を示すブロック図、図３は図１に示す装置におけるＭＩＤＩデータが圧縮オーディオデータの開始制御を指示する状態の説明図である。
【００１４】
図１において、１０１は１次媒体６０１に記録されたコンテンツを変換して２次媒体１０６に送信あるいは書き込みを行う変換装置、１０２は１次媒体６０１から各種データを受信あるいは読み出し制御を行う入力制御部、１０３はＭＩＤＩデータに基づき楽音の合成処理を行う音源部、１０４は音源部１０３が生成したオーディオデータの圧縮処理（エンコード）を行い圧縮オーディオデータとして出力する圧縮部、１０５は圧縮オーディオデータとＭＩＤＩデータとテキストデータと画像データと、少なくとも圧縮オーディオデータとＭＩＤＩデータとの同期に関係する情報である制御データを２次媒体１０６に対して送信あるいは書き込みを行う出力制御部、１０６は２次媒体、１０７は制御領域、１０８は圧縮オーディオデータ領域、１０９はＭＩＤＩデータ領域、１１０はテキストデータ領域、１１１は画像データ領域である。その他１次媒体６０１の構成は図６に示したものと同様である。
【００１５】
次に、図２において、２０１はオーディオ機器、２０２は圧縮オーディオデータ領域１０８から圧縮オーディオデータを受信もしくは読み出す制御部、２０３は圧縮オーディオデータの伸張処理（デコード）を行いオーディオデータとして出力する伸張部、２０４はアンプやスピーカなどから構成される音楽再生部、２０５はＬＣＤなどの表示部である。なお、ＭＩＤＩデータが圧縮オーディオデータの開始制御を指示する状態を図３に示してある。
【００１６】
以上のように構成されたカラオケ情報のデータ記録装置について、その動作説明をする。まず、１次媒体６０１からＭＩＤＩデータと、テキストデータと、画像データが変換装置１０１に転送される。なお、１次媒体６０１は半導体メモリカードやＣＤ（ディスク）などのメモリであってもよいし、また有線や無線伝達経路であっても構わない。またＭＩＤＩデータは、従来と同様に、カラオケ楽曲に対応する演奏データと、テキストデータ（歌詞）や画像データ（背景画）の表示制御を行う制御情報を有しているものとする。
【００１７】
入力制御部１０２はＭＩＤＩデータを音源部１０３に転送すると共に、ＭＩＤＩデータと、テキストデータと、画像データを出力制御部１０５に転送する。音源部１０３はＭＩＤＩデータに基づいて楽音の合成処理を行うことによってオーディオデータを生成し、圧縮部１０４はオーディオデータを圧縮（エンコード）し、圧縮オーディオデータとして出力制御部１０５に転送する。そして出力制御部１０５は圧縮オーディオデータと、ＭＩＤＩデータと、テキストデータと、画像データを２次媒体１０６に転送する。この時、入力制御部１０２はＭＩＤＩデータの先頭（即ち曲の始まり）などの再生タイミングを検出し、再生開始情報として出力制御部１０５を介して２次媒体１０６の制御領域に転送し、図３に示すようにＭＩＤＩデータの開始に連動してオーディオデータが再生できる仕組みを構築する。なお、２次媒体１０６上に制御領域を設けずに直接ＭＩＤＩデータ領域１０９上のＭＩＤＩデータが有する情報として転送するようにしても構わない。なお２次媒体も半導体メモリカードやＣＤ（ディスク）などのメモリであってもよいし、また有線や無線伝達経路であっても構わない。
【００１８】
このようにして作成された２次媒体１０６を用いて、オーディオ機器でカラオケを再生する場合を図２に示す。図２において２次媒体１０６の各データが制御部２０２によって読み出される。ここでＭＩＤＩデータの再生スピードとオーディオデータの再生スピードが同一になるように読み出し制御されるものとする。圧縮オーディオデータは伸張部２０３でオーディオデータに伸張され音楽再生部２０４にてオーディオ信号（カラオケ楽曲）として再生させる。
【００１９】
一方、ＭＩＤＩデータは制御部２０２において単にテキストデータと画像データの表示タイミングを制御するデータとして作用する。即ち、テキストデータと画像データはＭＩＤＩデータのタイミング制御に応じて表示部２０５で表示される。なお、制御部２０２にはＭＩＤＩデータを解読する機能が含まれていることが条件となるが、通常オーディオ機器が有するマイコンのソフト処理などで対応可能であるので、詳細説明は省略する。ここで制御領域１０７の再生開始情報によってＭＩＤＩデータとオーディオデータの再生開始が一致することになるので、結果的にオーディオ信号（カラオケ楽曲）に同期しながら、テキスト（歌詞）や画像（背景画）が表示されることになる。なお、１次媒体６０１に基づいて２次媒体１０６を作成する過程において（図１）、新たにオーディオデータやＭＩＤＩデータに対して著作権情報を付加したい場合には、入力制御部１０２が１次媒体６０１の各種データを読み込む際に著作権保護情報を生成し、制御領域１０７に対して、あるいは圧縮オーディオデータ領域１０８やＭＩＤＩデータ領域１０９上などのデータ本体自体に著作権保護情報を付加するようにすればよい。
【００２０】
以上のように、本実施の形態によれば、１次媒体６０１上のＭＩＤＩデータは、既に１次媒体上のテキストデータや画像データの表示タイミングを制御する情報を有しているので、変換装置１０１がＭＩＤＩデータに基づいて生成した圧縮オーディオデータと、入力制御部１０２が生成したＭＩＤＩデータの再生開始と圧縮オーディオデータの再生開始を一致させるための再生開始情報と、１次媒体６０１上の各種データとを２次媒体１０６に記憶し、このような２次媒体を用いることにより、音源を有しないオーディオ機器などでもテキスト（歌詞）や画像（背景画）と同期したカラオケを楽しむことが可能となる。
【００２１】
（実施の形態２）
図４は本発明のデータ記録方法及び記録装置並びに記録媒体の実施の形態２における電子楽器への展開例を示すブロック図、図５は図４に示す装置におけるＲＡＭのメモリマップである。
【００２２】
図４において、４０１は鍵盤などの入力部、４０２は発音制御を行うマイコン、４０３は楽音合成処理を行うＤＳＰ、４０４はデジタルアナログ変換器、４０５はマイコンのプログラムコードや波形データを記憶する読み出し専用メモリ（以下ＲＯＭという）、４０６は波形データなどを一次記憶する読み書きメモリ（以下ＲＡＭという）で、図５にそのメモリマップを示す。４０７はマイク、４０８はアナログデジタル変換器（以下ＡＤＣという）、４０９は半導体メモリカード、４１０はオーディオ再生部、４１１は半導体メモリカード４０９から圧縮オーディオを読み込む制御部、４１２は圧縮オーディオを伸張処理しオーディオデータとして出力する伸張部、４１３はオーディオデータ（デジタルデータ）をオーディオ信号（アナログ信号）に変換するデジタルアナログ変換器（以下ＤＡＣという）である。
【００２３】
以上のように構成された電子楽器についてその動作説明をする。まず、カラオケ機能を使用しない（オーディオ再生部を作動させない）場合について説明する。図４において、鍵盤演奏などにより入力部４０１から演奏データがマイコン４０２に送出される。マイコン４０２はＲＯＭ４０５に記憶されたプログラムコードに従い音色や音高情報と共に発音開始指示をＤＳＰ４０３に対して行う。ＤＳＰ４０３はＲＯＭ４０５に記憶された波形データを指示された音高に対応するアドレス歩進幅で読み出し合成処理の後、図５に示すように、合成音データとして合成チャンネル毎にＲＡＭ４０６に一次記憶する。合成音データはＤＳＰ４０３でのミキシング処理やエフェクタ処理に渡され、ＤＡＣ４０４を介して所望の楽音が得られる。
【００２４】
次にカラオケ機能を作動させた場合について説明する。半導体メモリカード４０９から読み出された圧縮オーディオデータがオーディオ再生部４１０を介して所望のオーディオ信号（カラオケ楽曲）としてＡＤＣ４０８に入力される。
【００２５】
一方、音声信号がマイクを介して同じくＡＤＣ４０８に入力される。これらの信号はＡＤＣ４０８によりそれぞれオーディオデータ、音声データとして図５に示すように、ＲＡＭ４０６に一次記憶される。ＲＡＭ４０６において、これらオーディオデータと音声データは合成音データと同じように扱われる。即ちＤＳＰ４０３のミキシング処理とエフェクタ処理に渡され、エフェクタを付加された後、ＤＡＣ４０４を介して出力される。ここでマイコン４０２から合成チャンネル（図５の合成音データの各チャンネルに対応）とオーディオデータと音声データと独立してエフェクタ付加量を制御できるものとすると、音声のみにリバーブをかけたり、或いはカラオケ楽曲（既にリバーブがかかっていないとして）にリバーブをかけたり、あるいは両者にリバーブをかけたりする制御が可能となる。
【００２６】
以上のように、本実施の形態によれば、ＡＤＣ４０８を介してオーディオ再生部４１０が再生するオーディオ信号（カラオケ楽曲）と音声信号を取り込み、ＲＡＭ４０６を介してＤＳＰ４０３（音源）に取り込めるようにしたので、オーディオ再生部４１０側の回路構成を変更することなく（ＡＤＣ４０８の追加とＲＡＭ４０６の増設だけで）、半導体メモリカード４０９に圧縮オーディオデータとして記録されたカラオケ楽曲、及び音声に対して、ＤＳＰ４０３が処理するエフェクタ（リバーブなど）を付加することができる。
【００２７】
【発明の効果】
以上のように、本発明によれば、ＭＩＤＩデータと圧縮オーディオデータとの同期情報を生成して２次媒体に書き込み、これをオーディオ機器で再生することにより、オーディオとテキストと画像との同期再生が可能となり、音源を有しないオーディオ機器などでもテキスト（歌詞）や画像（背景画）と同期したカラオケを楽しむことができるという有利な効果が得られる。
【図面の簡単な説明】
【図１】本発明のデータ記録方法及び記録装置並びに記録媒体の実施の形態１におけるデータ記録装置の構成を示すブロック図
【図２】図１に示す２次媒体とオーディオ機器を用いたカラオケ装置の概略構成とカラオケ情報のデータ構造を示すブロック図
【図３】図１に示す装置におけるＭＩＤＩデータが圧縮オーディオデータの開始制御を指示する状態の説明図
【図４】本発明のデータ記録方法及び記録装置並びに記録媒体の実施の形態２における電子楽器への展開例を示すブロック図
【図５】図４に示す装置におけるＲＡＭのメモリマップ
【図６】従来のカラオケ装置の概略構成とカラオケ情報のデータ構造を示すブロック図
【符号の説明】
１０１  変換装置
１０２  入力制御部
１０３  音源部
１０４  圧縮部
１０５  出力制御部
１０６  ２次媒体
１０７  制御領域
１０８  圧縮オーディオデータ領域
１０９  ＭＩＤＩデータ領域
１１０  テキストデータ領域
１１１  画像データ領域
【図１】
0003754286.tif 000002
【図２】
0003754286.tif 000003
【図３】
0003754286.tif 000004
【図４】
0003754286.tif 000005
【図５】
0003754286.tif 000006
【図６】
0003754286.tif 000007